(57)【要約】      （修正有）【課題】一般用傘の中綴じ工程に代えて適用できることはもちろんのこと、特に耳のない一枚張りの傘カバーと親骨の合体において、親骨が浮かないように合体できる傘カバーと親骨の一体構造を提供する。【解決手段】傘生地からなる断面山状の縫い山２と縫い山の裾から平坦状に延出する支持片３からなる縫い代４を、親骨５の任意な個所において、支持片を傘カバー６に、また縫い山を親骨にそれぞれ固定して、傘カバーと親骨とを合体させる。【選択図】図１
0003223540.tif 000002
【実用新案登録請求の範囲】
【請求項１】
傘生地からなる断面山状の縫い山とこの縫い山の裾から平坦状に延出する支持片からなる縫い代を親骨の任意な個所において上記支持片を傘カバーに、また記縫い山を親骨にそれぞれ固定して、傘カバーと親骨とが親骨が浮かないよう合体させたことを特徴とする傘カバーと親骨の一体構造。
【請求項２】
傘生地からなる断面山状の縫い山とこの縫い山の裾から平坦状に延出する支持片からなる縫い代を親骨の任意な個所において上記縫い山が親骨に沿うよう上記支持片を傘カバーに接着剤により固定するとともに、上記縫い山から親骨側面に設けられた貫口を通り親骨と傘カバーの間を抜けて戻るように縫い糸で巻き止めすることにより親骨に上記縫い山を固定して傘カバーと親骨５が親骨が浮かないよう合体させたこと特徴とする請求項１記載の傘カバーと親骨の一体構造。
【請求項３】
上記縫い山に両端を開口するトンネル部が設けられ、親骨の一部をこの筒状に貫通させ、また上記支持片を傘カバーに接着剤により固定するとともに、上記縫い山を親骨に縫い糸で巻き止めすることにより傘カバーと親骨とが親骨が浮かないよう合体させたことを特徴とする請求項１記載の傘カバーと親骨の一体構造。
【考案の詳細な説明】
【技術分野】
【０００１】
本考案は、傘カバーと親骨の一体構造に係り、とくに三角コマ縫い合わせの耳がない一枚張りの傘に好適な傘カバーと親骨の一体構造に係るものである。
【背景技術】
【０００２】
従前の一般的な傘においては、図５に示されるように、傘用生地を三角状に裁断した三角コマ２０を親骨２１の数に応じて縫い合わせて傘カバー２２を作り、ついで三角コマ１０の縫い合わせで傘内部に出来る耳２３を縫い代として親骨２１を通常は２ヶ所あるいは３ヶ所でこの縫い代に縫い止め２４する中綴じ工程により傘カバー２２と親骨２１を一体化し親骨２１が浮かないようにしていた。
しかしながら、近時、柄などが継ぎ目無く表現される一枚張りの傘が消費者の人気を博するようになってきたが、一枚張りでは一枚の生地を傘に張り合わせるため縫い山を利用した中綴じ工程が不要となる。反面、縫い山を利用した骨と生地との接着がないと傘を閉じたときに生地が泳ぎぶかぶかとなる状態になり、とくに傘を閉じたときに生地が一緒に閉じなくてはならない折り畳み傘では閉じられる骨と接着していない生地は浮いてしまい、うまく傘をたたむことが出来ない問題があった。
そのことから、骨と生地を接着するために、たとえば特許文献１に示されるように親骨と傘生地をボンドで接着したり、あるいは図６に示すように、傘生地の末端部分だけを切り通常の傘の同じ耳２５を作りこれを利用して縫い合わせたりするなどの手段が講じられてきた。
しかしながら、上記したような親骨と傘生地をボンドで接着する手段については、親骨の材質が樹脂あるいは金属なのに対して生地は繊維という異種の素材どうしに適した接着剤がないことから、短時間の使用ではがれてしまう欠点があり、また、傘生地の末端部分だけを縫い合わせる手段にあっては、末端部分の傘の柄がずれてしまい、柄などが継ぎ目無く表現される一枚張りの良さが失われるという問題が生じたものである。
【特許文献１】特開２０１８−１８３５５７号公報
【考案の開示】
【考案が解決しようとする課題】
【０００３】
本考案は、上記した実状に鑑みてなされたもので、傘生地からなる断面山状の縫い山とこの縫い山の両端から平坦状に延出する支持片からなる縫い代を親骨の任意な個所において、上記支持片を傘カバーに、また記縫い山を親骨にそれぞれ固定して、傘カバーと親骨とが親骨が浮かないよう合体させる、傘カバーと親骨の一体構造を提供することを目的とするものである。
【課題を解決するための手段】
【０００４】
本考案に係る傘カバーと親骨の一体構造は、傘生地からなる断面山状の縫い山とこの縫い山の両端から平坦状に延出する支持片からなる縫い代を親骨の任意な個所において、上記支持片を傘カバーに、また記縫い山を親骨にそれぞれ固定して、傘カバーと親骨とが親骨が浮かないよう合体させたものである。
【考案の効果】
【０００５】
本考案に係る傘カバーと親骨の一体構造によれば、傘生地からなる断面山状の縫い山とこの縫い山の両端から平坦状に延出する支持片からなる縫い代を親骨の任意な個所において、上記支持片を傘カバーに、また記縫い山を親骨にそれぞれ固定したから、傘カバーと親骨とがしっかりと合体し、風圧や経年劣化で親骨と生地が離れない仕組みとしたから、傘カバーから親骨が浮くことがなくなり、特に耳のない一枚張りの傘カバーと親骨の合体に適用できる顕著な効果が得られる。
【図面の簡単な説明】
【０００６】
【図１】本考案に係る傘カバーと親骨の一体構造の実施の一例を示す概略図である。
【図２】本考案に係る傘カバーと親骨の一体構造の実施の一例を示す概略説明図である。
【図３】本考案に係る傘カバーと親骨の一体構造の別の実施例を示す概略図である。
【図４】本考案に係る傘カバーと親骨の一体構造別の実施例を示す概略説明図である。
【図５】従前の耳を利用した中綴じを示す概略説明図である。
【図６】従前の傘カバー末端部のみに設けた耳を利用した中綴じを示す概略説明図である。
【考案を実施するための最良の形態】
【０００７】
傘生地からなる断面山状の縫い山とこの縫い山の裾から平坦状に延出する支持片からなる縫い代を親骨の任意な個所において上記支持片を傘カバーに、また記縫い山を親骨にそれぞれ固定して、傘カバーと親骨とが親骨が浮かないよう合体させたものである。
【実施例１】
【０００８】
以下、本考案の傘カバーと親骨の一体構造を自動開閉折り畳み傘に適用した実施例について、図１および図２に従って説明する。
本考案に係る傘カバーと親骨の一体構造１について、図１には後述する傘カバー生地６と同素材の傘用生地からなる断面山状の縫い山２と、この縫い山２の裾から平坦状に延出する支持片３とからなる縫い代４の親骨５への取り付け前の概略説明図が示され、取り付け後は図２に示されるように、親骨５の任意な個所において上記縫い山２が親骨５に沿うよう上記支持片３を傘カバー６にボンドで固定するとともに、上記縫い山３から親骨側面に設けられた貫口７を通り親骨５と傘カバー６の間隙を抜けて戻るように縫い糸８を巻き止めすることにより親骨５に上記縫い山２を固定して傘カバー６と親骨５とが親骨５が浮かないよう合体させている。
この場合において、上記支持片３は傘カバー６生地と同素材の傘用生地からなるので異種素材に比べて接着材がなじみやすく強固に合体でき、また縫い山２を利用すれば親骨５を縫い糸８で縫着でき、これにより親骨５と傘カバー６とが強く一体化することにより、風圧や経年劣化による親骨と傘生地が離れる不具合も解消できることとなる。
【実施例２】
【０００９】
以下、本考案の傘カバーと親骨の一体構造を適用した別の傘の実施例について、図３および図４に従って説明する。
本考案に係る傘カバーと親骨の一体構造１1について、図１には後述する傘カバー生地と同素材の傘用生地からなる断面山状の縫い山１２とこの縫い山１２の裾から平坦状に延出する支持片１３からなる縫い代１４の親骨１５への取り付け前後の概略説明図が示されている。そして上記縫い山１２は両端を開口するトンネル部１６が設けられ、上記支持片１３を傘カバー１７にボンドで固着させ、親骨１５をこのトンネル部１６に貫通させ、また上記支持片１３を傘カバー１７にボンドで固着させ、ついで縫い山１２と親骨１５を縫い糸１８で袋状に巻き止めすることにより傘カバー１７お親骨１５とを親骨１５が浮かないよう合体させている。
この場合において、上記支持片１３は傘カバー１６生地と同素材の傘用生地からなるので異種素材に比べて接着材がなじみやすく強固に合体でき、また縫い山１２を利用すれば親骨１５を縫い糸１８で縫い山１２と縫合でき、これにより親骨１５と傘カバー１７とが強く一体化することにより、風圧や経年劣化による親骨と傘生地が離れる不具合も解消できることとなる。
【００１０】
尚、上記実施例において示した縫い代の形状は実施例に限らず、親骨が縫い山を利用して固定でき、傘カバーに固定できればどのような形状であってもよく、縫い山の形状についても親骨の形状に適合するよう適宜に選択すればよい。また縫い代の素材は傘用生地として傘カバーと同じ傘生地を用いたが、これに限らず縫い山を利用して親骨を固定めでき、支持片が傘カバーに固定できる生地であれば傘用生地を含むどのような生地であってもよい。さらにこの実施例ではボンドで支持片を傘カバーに接着したが接合手段についてはその他どのような手段であってもよい。そしてまた、縫い山と親骨とを合体させる手段についてもその他の手段を用いてもよい。また実施例に示した縫い代は親骨が１本に対し３ヶ所において取り付けるが、この取り付け個所の数についても任意に選択できる。
【産業上の利用可能性】
【００１１】
傘生地のごとき繊維生地からなる断面山状の縫い山とこの縫い山の両端から平坦状に延出する支持片からなる縫い代を親骨の任意な個所において上記支持片を傘カバーに、また記縫い山を親骨にそれぞれ固定して、傘カバーと親骨とが親骨が浮かないよう合体させたから、傘カバーと親骨とが親骨が浮かないように一体化でき、従前に見受けられた一般用傘の耳を用いた中綴じ手段に代えて新たな中綴じ手段として長傘、折り畳み傘のいずれにも適用できることはもちろんのこと、特に近時普及が進んでいる耳のない一枚張りの傘カバーと親骨の合体に適する顕著な効果が得られる。
また、縫い山を利用して親骨に縫い合わせて固定するようにしたから、親骨と傘生地が強く一体化して親骨が傘カバーから浮くことがなく安定する効果が得られる。
その他、本案によれば親骨が破損して修理する場合にも、縫い代を親骨から分離できるためアフターサービスにも適する。
【符号の説明】
【００１２】
１   実施例１に示す傘カバーと親骨の一体構造
２   縫い山  
３   支持片
４   縫い代
５   親骨
６   傘カバー
７   貫口
８   縫い糸
11   実施例２に示す傘カバーと親骨の一体構造
12   縫い山
13   支持片
14   縫い代
15   親骨トンネル部
16   トンネル部
17   傘カバー
18   縫い糸
21   三角コマ
22   親骨
23   耳
24   縫い止め部
25   耳
【図１】
0003223540.tif 000003
【図２】
0003223540.tif 000004
【図３】
0003223540.tif 000005
【図４】
0003223540.tif 000006
【図５】
0003223540.tif 000007
【図６】
0003223540.tif 000008